(57)【要約】  本願は、貯蔵室、および貯蔵室を開閉するドアを含み、前記ドアにおいて真空パッケージ装置が設けられた冷蔵庫を開示する。真空パッケージ装置には、位置が上下対応する上支持座および下支持座と、ガス抽出コンポーネントとが含まれる。そのうち、下支持座は、ドアに着脱可能に連結され、上支持座および／または下支持座は、両者の対向表面に開口チャンバが開設されている。上支持座は、駆動装置の駆動下で、下支持座に近寄るまたは離れる方向へ移動可能となる。上支持座は、上支持座が下支持座と突き合わせたまで、下支持座に近寄る方向へ移動する。開口チャンバは、密封部によって密封のようにガス抽出領域を形成する。ガス抽出コンポーネントは、管路によってガス抽出領域に連通され、ガス抽出領域に対してガス抽出またはリリーフを行うために用いられる。本願に係る冷蔵庫は、食材を盛った収納袋に対して真空パッケージ処理を行うと共に、冷蔵庫の各々の室に貯蔵された食材に対してガス抽出保存を行うことができ、保存の範囲を拡大する。また、該真空パッケージ装置の下支持座は、取り外して洗浄することができるため、ユーザが使用しやすい。
2021533330.tif 000002
【特許請求の範囲】
【請求項１】
貯蔵室と、前記貯蔵室を開閉するためのドアと、を含み、前記ドアにおいて真空パッケー
ジ装置が設けられた冷蔵庫であって、
前記真空パッケージ装置には、
位置が上下対応する上支持座および下支持座と、駆動装置と、ガス抽出コンポーネントと
、が含まれ、
前記上支持座および／または前記下支持座は、両者の対向表面に開口チャンバが開設され
、
前記上支持座が前記下支持座と突き合わせる場合、前記開口チャンバは、密封部によって
密封のようにガス抽出領域を形成し、
前記下支持座は、前記ドアに着脱可能に連結され、
駆動装置は、前記上支持座が前記下支持座に近寄るまたは離れるように駆動し、
前記ガス抽出コンポーネントは、管路によって前記ガス抽出領域に連通され、前記ガス抽
出領域に対してガス抽出またはリリーフを行うために用いられる、
ことを特徴とする冷蔵庫。
【請求項２】
前記ドアにおいて内外が連通する取付孔が設けられ、前記取付孔内に前記下支持座およ
び前記ドアの内側に位置する保温小ドアが設けられている、
ことを特徴とする請求項１に記載の冷蔵庫。
【請求項３】
前記保温小ドアと前記下支持座とは、一体成形される、
ことを特徴とする請求項２に記載の冷蔵庫。
【請求項４】
前記下支持座および前記保温小ドアは、開口チャンバ構造を有する第１筐体および第２
筐体、ならびに第１筐体と第２筐体との間に断熱材により形成され、
前記第１筐体と前記第２筐体とが係合連結され、
前記第１筐体が前記第２筐体から離れる方向において延伸アームが設けられ、
前記下支持座は、前記延伸アームに形成される、ことを特徴とする請求項３に記載の冷
蔵庫。
【請求項５】
前記下支持座は、前記保温小ドアに着脱可能に連結される、
ことを特徴とする請求項２に記載の冷蔵庫。
【請求項６】
前記下支持座および前記保温小ドアは、開口チャンバ構造を有する第１筐体および第２
筐体、ならびに第１筐体と第２筐体との間に断熱材により形成され、
前記第１筐体と前記第２筐体とが係合連結され、
前記第１筐体が前記第２筐体から離れる方向において延伸アームが設けられ、
前記下支持座は、前記延伸アームに形成される、
ことを特徴とする請求項５に記載の冷蔵庫。
【請求項７】
前記保温小ドアと前記ドアライナーとの間に小ドアシールが設けられている、
ことを特徴とする請求項２に記載の冷蔵庫。
【請求項８】
前記保温小ドアと前記ドアライナーとの間に、前記保温小ドアを前記ドアにロックする
ためのロック装置が設けられている、
ことを特徴とする請求項２に記載の冷蔵庫。
【請求項９】
前記ロック装置には、前記保温小ドアに設けられたラッチフックコンポーネント、および
前記ドアライナーに設けられたロック溝が含まれ、
前記ラッチフックコンポーネントは、前記保温小ドアにおけるラッチフックに穿設可能で
あり、
前記ラッチフックは、第１位置および第２位置で変換可能となり、第１位置にある場合、
前記ロック溝と嵌合されて前記保温小ドアのロックを実現し、第２位置にある場合、前記
ロック溝から離脱して、前記保温小ドアのアンロックを実現する、
ことを特徴とする請求項８に記載の冷蔵庫。
【請求項１０】
前記下支持座は、前記ドアの外側から着脱可能に前記ドアに取り付けられる、
ことを特徴とする請求項１に記載の冷蔵庫。
【請求項１１】
前記下支持座は、第２プッシュスイッチによって前記ドアに着脱可能に連結され、或い
は、前記下支持座は、係着の形態で前記ドアに着脱可能に連結される、
ことを特徴とする請求項１０に記載の冷蔵庫。
【請求項１２】
前記真空パッケージ装置には、前記下支持座および前記上支持座のうちの一方に位置す
る断熱パッドと、前記下支持座および前記上支持座のうちの他方に位置する加熱装置とが
さらに含まれ、
前記断熱パッドは、前記加熱装置と対向される、
ことを特徴とする請求項１に記載の冷蔵庫。
【請求項１３】
前記ガス抽出コンポーネントには、管路によって前記ガス抽出領域に連通される真空ポ
ンプが含まれ、
前記管路において圧力検知装置およびリリーフ装置が設けられ、
前記圧力検知装置は、前記ガス抽出領域の圧力を検出するために用いられ、
前記リリーフ装置は、制御されて前記ガス抽出領域に対してリリーフを行う、
ことを特徴とする請求項１に記載の冷蔵庫。
【請求項１４】
前記駆動装置は、モータ、および前記モータの回転運動を直線運動に変換するために用
いられ、出力端が前記上支持座に連結された伝動機構を含む、
ことを特徴とする請求項１３に記載の冷蔵庫。
【請求項１５】
前記駆動装置および前記ガス抽出コンポーネントは、同一の取付座に取り付けられ、
前記ドアハウジングにおいて内へ凹む取付チャンバが設けられ、
前記取付座および前記上支持座は、前記取付チャンバ内に取り付けられる、
ことを特徴とする請求項１３に記載の冷蔵庫。
【請求項１６】
前記ドアの外側には、前記真空パッケージ装置の所在する領域において、下端が前記ド
アにヒンジ連結され、上端が第１プッシュスイッチによって前記ドアハウジングに連結さ
れたカウンタードアが設けられている、
ことを特徴とする請求項１５に記載の冷蔵庫。
【請求項１７】
前記カウンタードアの内側には、前記取付チャンバの外側に被覆された操作パネルがさ
らに含まれ、
前記操作パネルにおいてパッケージ待ち袋の挿設に適する挿入口が成形され、
前記操作パネルにおいて、前記真空パッケージ装置の作動状態を表示するための指示装
置を含む表示制御装置がさらに設けられている、
ことを特徴とする請求項１６に記載の冷蔵庫。
【請求項１８】
前記ドアには、前記真空パッケージ装置の所在する領域にサブドアプレートが設けられ
、
前記サブドアプレートの表面と前記ドアハウジングの表面が位置合わせ、
前記サブドアプレートにおいてパッケージ待ち袋の挿設に適する挿入口が成形され、
前記サブドアプレートにおいて、前記真空パッケージ装置の作動状態を表示するための
指示装置を含む表示制御装置がさらに設けられている、ことを特徴とする請求項１７に記
載の冷蔵庫。
【発明の詳細な説明】
【技術分野】
【０００１】
本願は、２０１９年５月２７日に中国特許庁に提出された出願番号２０１９１０４４７６
９７．Ｘ、２０１９２０７７４３０２．２、２０１９１０４４８２３８．３、２０１９２
０７７３６０１．４、２０１９１０４４７７０２．７、２０１９２０７７３５９０．Ｘ、
２０１９１０４４７６９６．５、２０１９２０７７３５８５．９、２０１９１０４４８２
３７．９、２０１９２０７７４３００．３、２０１９１０４４８２３６．４、２０１９２
０７７３５８９．７、２０１９１０４４７６８８．０、２０１９２０７７３５８３．Ｘ、
２０１８１１４５７０８８．４、発明の名称「冷蔵庫」の中国特許出願に基づき優先権を
主張し、その内容を全て援用によって本願に組み込まれる。
【０００２】
本願は、家電の分野に属し、特に、冷蔵庫に関する。
【背景技術】
【０００３】
近年、人々の健康意識が徐々に高まることに伴い、食材保存に対するニーズがますます高
くなっている。冷蔵庫は、食材の保管に最もよく使用されている家庭用電器であるので、
食材保存・保管が冷蔵庫の分野における差し迫って解決する技術的問題となっている。
【０００４】
現在、食材の保存問題に対して、各々のメーカにより、異なる保存技術が提出されてきた
。例えば、真空保存技術では、真空状態で、食物の変質条件が変更した。まず、真空環境
では、微生物、および各種の促進酵素が生きにくいので、微生物の繁殖要件を満たすには
長い時間がかかる。次に、真空状態で、容器内の酸素ガスが大幅に減少するので、各種の
化学反応が完成できず、食物が酸化されることなく、長期にわたって保存される。
【０００５】
現在、冷蔵庫に適用する真空保存技術は、主に、冷蔵庫内に密封引き出しが設けられ、引
き出しの外に設けられた小型真空ポンプによって引き出しに対してガス抽出処理を行うこ
とで、引き出しが負圧状態を維持し、引き出し内の食材の保存を実現するのものである。
このような保存形態は、以下のような制約性を有する。ガス抽出処理は、真空ポンプによ
り実現される必要があるので、真空ポンプは、冷蔵室の一部の保管空間を占用する恐れが
ある。このような保存形態は、引き出しを密封しなければ、その内に真空状態を形成する
ことができないため、引き出しの成形および取付プロセスにに対する要求が高い。このよ
うな保存形態は、引き出し内の食材のみを保存することができ、冷蔵庫の他の領域におけ
る食材に対して保存作用を果たすことができない。
【発明の概要】
【０００６】
本願が解決しようとする技術的問題は、従来の冷蔵庫の保存効果がよくないため、さらに
、コストが低く、保管空間を占用せず、各領域における食材を保存可能となる冷蔵庫を提
供するものである。
【０００７】
上述した技術的問題を解決するために、本願は、貯蔵室と、前記貯蔵室を開閉するための
ドアと、を含み、前記ドアにおいて真空パッケージ装置が設けられた冷蔵庫であって、前
記真空パッケージ装置には、位置が上下対応する上支持座および下支持座と、ガス抽出コ
ンポーネントと、が含まれ、前記上支持座および／または前記下支持座は、両者の対向表
面に開口チャンバが開設され、前記上支持座は、駆動装置の駆動下で、前記下支持座に近
寄るまたは離れる方向へ移動可能となり、前記上支持座は、前記下支持座と突き合わせた
まで、下支持座へ移動し、前記開口チャンバは、密封部によって密封のようにガス抽出領
域を形成し、前記ガス抽出コンポーネントは、管路によって前記ガス抽出領域に連通され
。前記ガス抽出領域に対してガス抽出またはリリーフを行うために用いられる、冷蔵庫を
提供する。
【０００８】
本願の技術案は、従来技術に対して、以下のような技術的効果を有する。
【０００９】
本願に係る冷蔵庫は、ドアにおいて真空パッケージ装置が設けられることにより、冷蔵
庫に入れる、食材を盛った収納袋に対して真空パッケージ処理を行うことができる。従来
の真空引き出しに対して、本願に係る真空パッケージ装置を用いることにより、冷蔵庫の
各々の室に保管された食材に対してガス抽出保存処理を行い、保存の範囲を拡大すること
ができる。また、該真空パッケージ装置における下支持座をドアから取り外すことができ
るため、ユーザは、ガス抽出手順で下支持座に落下した食物残渣を清潔しやすく、ユーザ
エクスペリエンスがよく、冷蔵庫の知能化程度を向上させることができる。
【図面の簡単な説明】
【００１０】
以下は、本願の目的および特徴をよく理解するために、図面を参照しながら、本願の好ま
しい実施例について詳しく説明する。
【００１１】
【図１】本願の実施例１に係る冷蔵庫の構造模式図である。
【図２】本願の実施例１に係る冷蔵ドアの構造模式図である。
【図３】本願の実施例１に係る冷蔵ドアの分解図である。
【図４】本願に係る真空パッケージ装置の側方向断面図である
【図５】本願に係る真空パッケージ装置における上支持座の正方向および逆方向の構造模式図である。
【図６】本願に係る真空パッケージ装置における上支持座、駆動装置およびガス抽出コンポーネントの取付模式図である。
【図７】本願に係る真空パッケージ装置における上支持座、駆動装置およびガス抽出コンポーネントの分解図である。
【図８】本願に係る真空パッケージ装置における上支持座と濾過容器との連結関係図である。
【図９】本願に係る真空パッケージ装置における上支持座と濾過網との連結関係図である。
【図１０】本願に係る上支持座、加熱装置および密封リングの分解図である。
【図１１】本願に係る上支持座と加熱装置との連結状態の局所断面図である。
【図１２】本願に係る上支持座が初期位置にある場合の駆動装置との連結関係模式図である。
【図１３】本願に係る上支持座が降下位置にある場合の駆動装置との連結関係模式図である。
【図１４Ａ】本願の実施例１に係る下支持座、保温小ドアおよびドアのロック状態の構造模式図である。
【図１４Ｂ】本願の実施例１に係る下支持座、保温小ドアおよびドアのアンロック状態の構造模式図である。
【図１４Ｃ】本願の実施例１に係る下支持座および保温小ドアをドアから取り除いた状態の構造模式図である。
【図１５】本願の実施例１に係る保温小ドアおよび下支持座の取付状態の正方向および逆方向の構造模式図である。
【図１６】本願の実施例１に係る保温小ドア、下支持座およびラッチフックコンポーネントの分解図である。
【図１７】本願の実施例１に係るラッチフックコンポーネントが前記保温小ドアに取り付けられた状態の構造模式図である。
【図１８】本願の実施例１に係るラッチフックコンポーネントが前記保温小ドアに取り付けられた状態の局所断面図である。
【図１９】本願の実施例１に係る下ラッチフックの斜視図である。
【図２０】本願の実施例１に係る上ラッチフックの正方向および逆方向の構造模式図である。
【図２１Ａ】本願の実施例２に係る下支持座、保温小ドアおよびドアのロック状態の構造模式図である。
【図２１Ｂ】本願の実施例２に係る下支持座および保温小ドアをドアから取り除いた状態の構造模式図である。
【図２２】本願の実施例２に係る保温小ドア、下支持座およびラッチフックコンポーネントの分解図である。
【図２３Ａ】本願の実施例３に係る下支持座、保温小ドアおよびドアのロック状態の構造模式図である。
【図２３Ｂ】本願の実施例３に係る保温小ドアとドアとのアンロック状態の構造模式図である。
【図２３Ｃ】本願の実施例３に係る下支持座および保温小ドアをドアから取り除いた状態の構造模式図である。
【図２４】本願の実施例４に係る冷蔵庫の構造模式図である。
【図２５】本願の実施例４に係る冷蔵ドアの分解図である。
【図２６】本願の実施例５に係る冷蔵庫の構造模式図である。
【図２７】本願の実施例５に係る冷蔵ドアの分解図である。
【図２８】本願の実施例５に係る下支持座の分解図である。
【図２９Ａ】本願の実施例５に係る下支持座とドアとのロック状態の構造模式図である。
【図２９Ｂ】本願の実施例５に係る下支持座をドアから取り除いた状態の構造模式図である。
【図３０Ａ】本願の実施例６に係る下支持座とドアとのロック状態の構造模式図である。
【図３０Ｂ】本願の実施例６に係る下支持座をドアから取り除いた状態の構造模式図である。
【発明を実施するための形態】
【００１２】
以下は、本願の実施例における図面を結びつけて本願の実施例における技術案について、
はっきり、完全に説明する。なお、本願の記載において、用語「中心」、「上」、「下」
、「左」、「右」、「鉛直」、「水平」、「内」、「外」などにより示される方向または
位置関係は、図面に示す方向または位置関係であり、本願の説明を容易にし、説明を簡素
化にするために過ぎず、示される装置または素子が特定の方向を有し、特定の方向で構成
され、操作されなけらばならないことを明示または示唆するためのものではないため、本
願を限定すると理解すべきではない。また、用語「第１」、「第２」、「第３」は、目的
を説明するためのものに過ぎず、相対的な重要性を明示または示唆するためのものではな
い。
【００１３】
なお、本願の記載において、特に指定のない限り、用語「取付」、「連結」、「接続」は
、広義で理解されるべきであり、例えば、固定連結であってもよいし、着脱可能な連結で
あってもよいし、一体的な連結であってもよい。さらに、直接的な連結であってもよいし
、中間媒体を介する間接的な連結であってもよいし、２つの素子内部の連通であってもよ
い。当業者であれば、具体的な状況によれば、上記用語が本願における具体的な意味を理
解することができる。
【００１４】
また、以下に記載される本願の異なる実施形態に係る技術的特徴は、互いに矛盾しなけれ
ば、互いに組み合わせることができる。
【００１５】
実施例１
【００１６】
図１は、本願に係る冷蔵庫の１つの具体的な実施形態の斜視図である。図１に示すように
、この冷蔵庫１はほぼ直方体の形状である。冷蔵庫１の外観は、保管空間を限定する貯蔵
室１００および貯蔵室１００に設けられた複数のドア２００により限定される。そのうち
、図２に示すように、ドア２００は、貯蔵室１００の外側に位置するドアハウジング２１
０、前記貯蔵室１００の内側に位置するドアライナー２２０、上端蓋２３０、下端蓋２４
０、およびドアハウジング２１０、ドアライナー２２０、上端蓋２３０、および下端蓋２
４０の間に位置する断熱層を含む。通常、断熱層は、発泡材料により充填された。
【００１７】
貯蔵室１００は、開口する箱体を有する。貯蔵室１００は、下方における冷凍室Ａおよび
上方における冷蔵室１００Ｂに鉛直に隔てられる。隔てられた空間のうちの各々は、独立
する保管空間を有してもよい。詳しくは、冷凍室１００Ａは、貯蔵室１００の下側に位置
するとともに、引出式冷凍室ドアＡによって選択的に覆われる。冷凍室１００Ａの上方に
おける空間が左側および右側に隔てられてそれぞれ冷蔵室１００Ｂを形成する。冷蔵室１
００Ｂは、冷蔵室１００Ｂに回転可能に取り付けられた冷蔵室ドア２００Ｂによって選択
的に開閉することができる。
【００１８】
図３、図４に示すように、該冷蔵庫の前記ドア２００に真空パッケージ装置３００が設け
られている。真空パッケージ装置３００は、収納袋に対してガス抽出およびプラスチック
パッケージ処理を行うために用いられる。該真空パッケージ装置３００は、冷凍ドア２０
０Ａに設けられるだけでなく、冷蔵ドア２００Ｂに設けられることができるが、冷蔵ドア
２００Ｂが上側に位置するため、ユーザの使用習慣に合わせるように、一般的に冷蔵ドア
２００Ｂに設けられることが好ましい。
【００１９】
図４〜図１７は、前記真空パッケージ装置３００の一実施形態である。本実施形態におい
て、図４に示すように、前記真空パッケージ装置３００は、第１開口チャンバ３１１が設
けられた下支持座３１０と、第２開口チャンバ３２１が設けられた上支持座３２０と、を
含む。前記上支持座３２０は、駆動装置３４０の駆動下で前記下支持座３１０に近寄るま
たは離れる方向へ移動することができる。前記上支持座３２０は、前記下支持座３１０に
近寄る方向へ所定の位置に移動した後、前記第１開口チャンバ３１１と前記第２開口チャ
ンバ３２１とは、突き合わせて密封のようにガス抽出領域３０１を形成する。上記真空パ
ッケージ装置３００は、駆動装置３４０の自動昇降を制御することによって下支持座３１
０と上支持座３２０とのロックおよびアンロックを実現し、自動真空パッケージを実現し
、冷蔵庫の知能化程度を向上させることができる。
【００２０】
具体的には、前記ガス抽出領域３０１の密封性を向上するために、図４に示すように、前
記下支持座３１０と前記上支持座３２０の対向表面に前記ガス抽出領域３０１を密封する
ための密封部が設けられている。具体的には、前記下支持座３１０は、前記第１開口チャ
ンバ３１１の外周に第１密封溝３１３が設けられ、前記上支持座３２０は、前記第２開口
チャンバ３２１の外周に第２密封溝３２３が設けられている。前記第１密封溝３１３と前
記第２密封溝３２３とは、位置が対向して内部に密封リング３５０が設けられている。第
１密封溝３１３および第２密封溝３２３内に設けられた２つの密封リング３５０は、前記
ガス抽出領域３０１を内側に密封することで、ガス抽出領域３０１の信頼的な密封を実現
することができる。
【００２１】
具体的には、図５に示すように、前記第１開口チャンバ３１１または前記第２開口チャン
バ３２１内に位置規制部が設けられ、前記ガス抽出領域３０１内に挿設された収納袋の挿
入位置を制限するために用いられ、収納袋の開口位置が前記ガス抽出領域３０１から伸び
出すことを回避する。具体的には、前記位置規制部は、前記第１開口チャンバ３１１また
は前記第２開口チャンバ３２１内に設けられた位置規制リブ３２２である。前記位置規制
リブ３２２の高さが前記第１開口チャンバ３１１または第２開口チャンバ３２１の深さよ
りも大きい。前記位置規制リブ３２２の長さがやや前記第１開口チャンバ３１１または第
２開口チャンバ３２１の長さよりも短い。ユーザが収納袋を前記ガス抽出領域３０１に挿
入した際に、前記位置規制リブ３２２は、前記収納袋が継続して内へ挿入することを阻止
する。他の実施形態において、該ガス抽出領域３０１には、到着検知装置がさらに設けら
れてもよい。具体的には、マイクロ波センサーまたは赤外線センサーを用いることにより
、前記ガス抽出領域３０１へ挿入された収納袋の有無を検知して、前記コントローラへ前
記収納袋が到着したか否かの信号を送信する。コントローラは、到着信号に基づいて前記
真空ポンプの起動を制御する。到着検知装置が設けられることにより、前記収納袋が到着
したか否かを自動的に検知し、コントローラは、さらに前記真空ポンプの起動・停止を自
動的に制御する。
【００２２】
前記真空パッケージ装置３００は、ガス抽出コンポーネント３３０をさらに含む。図６、
図７に示すように、前記ガス抽出コンポーネント３３０は、管路３３５によって前記ガス
抽出領域３０１に連通された真空ポンプ３３１を含む。前記管路３３５において圧力検知
装置３３２およびリリーフ装置３３３がさらに設けられている。そのうち、圧力検知装置
３３２は、具体的に圧力センサーであり、ガス抽出領域３０１の圧力を検知するために用
いられる。前記リリーフ装置３３３は、具体的に電動リリーフ弁であり、前記電動リリー
フ弁がオンとなる場合、前記ガス抽出領域３０１に対してリリーフを行うために用いられ
る。ユーザがガス抽出・パッケージを行う場合、真空ポンプ３３１をオンにして前記ガス
抽出領域３０１をガス抽出処理する。前記圧力検知装置３３２は、ガス抽出領域３０１の
圧力が所定の負圧値に達したと検知した場合、コントローラは、前記真空ポンプ３３１を
停止させるように制御する。圧力センサーが設けられることにより、前記ガス抽出領域３
０１の真空度を制御することができる。真空ポンプ３３１は、圧力センサーによる検知値
に基づいて起動・停止することができ、ガス抽出の効果を確保する。ガス抽出およびパッ
ケージが完了した後、上記電動リリーフ弁をオンにすることにより、該ガス抽出領域３０
１においてリリーフを行うように自動的に制御することができ、ユーザは、収納袋を引き
出しやすい。ガス抽出領域３０１の異物が前記管路３３５を経由して前記真空ポンプ３３
１に進入することを回避するために、前記管路３３５において濾過保護装置がさらに設け
られている。一実施形態において、図８に示すように、前記濾過保護装置は、具体的に管
路３３５に直列連結された濾過容器３３４である。前記濾過容器３３４の上端に入口およ
び出口が設けられている。前記入口は、管路によって前記ガス抽出領域３０１に連通され
、前記出口は、管路によって前記真空ポンプ３３１に連通されている。ガス抽出領域３０
１の異物が管路３３５を経由して前記濾過容器３３４に進入し、前記濾過容器３３４の底
部に残ることで、異物が前記真空ポンプ３３１に進入することを回避する。前記濾過容器
３３４の洗浄を容易にするために、より具体的には、前記濾過容器３３４は、開口を有す
る缶体、および前記缶体に着脱可能に連結された上蓋を含む。前記上蓋において前記入口
および出口が設けられることにより、洗浄時に前記缶体を取り外して洗浄すればよく、管
路３３５を頻繁的に取り外すことに起因して管路３３５の密封性が悪くなるという問題を
回避することができる。
【００２３】
他の実施形態において、図９に示すように、前記濾過保護装置は、前記管路３３５に設け
られた濾過網３３６である。具体的には、着脱を容易にするために、前記濾過網３３６は
、前記上支持座３２０と前記管路３３５との連結位置における貫通孔３２４の箇所に設け
られている。ユーザは、上支持座３２０を最高位置に移動した後、下側から濾過網３３６
に対して着脱または洗浄操作を行うことができる。
【００２４】
前記ガス抽出領域３０１と前記管路３３５との連結孔が１つであってもよい。もちろん、
単一の連結孔の場合に、前記ガス抽出領域３０１における異物が前記連結孔を塞ぐことに
起因するガス抽出の不具合を回避するために、２つのまたは２つの以上の連結孔が設けら
れてそれぞれ前記管路３３５に連結されることにより、前記管路３３５同士が並列配置さ
れ、三方向または多重方向コネクタを通過した後にヘッダーパイプに連結される。そのう
ち、圧力センサー、および電動リリーフ弁は、ヘッダーパイプに設けられている。
【００２５】
図４に示すように、前記真空パッケージ装置３００は、対向された断熱パッド３６０およ
び加熱装置３７０をさらに含み、ガス抽出が完了した後、収納袋に対してプラスチックパ
ッケージを行うために用いられる。断熱パッド３６０および加熱装置３７０は、前記ガス
抽出領域３０１の外側のパッケージ領域内に位置する。具体的には、前記加熱装置３７０
は、前記上支持座３２０の下面における凹溝内に取り付けられ、前記断熱パッド３６０は
、前記上支持座３２０および下支持座３１０の上面における凹溝内に取り付けられる。上
支持座３２０が前記下支持座３１０と密封を形成するガス抽出領域３０１に移動した後、
パッケージ領域３０２内の断熱パッド３６０が加熱装置３７０に突き当てられる。ガス抽
出が完了した後、パッケージ領域３０２における加熱装置３７０によって収納袋に対して
プラスチックパッケージを急速に行うことができる。加熱装置３７０が所定時間作動した
後、駆動装置３４０を制御して上支持座３２０を上向きに移動させることで、ユーザは、
収納袋を引き出して収納袋のプラスチックパッケージを完成することができる。
【００２６】
より具体的には、図１０、図１１に示すように、前記加熱装置３７０は、ヒーターバンド
３７１を含む。前記ヒーターバンド３７１の下側に熱伝導板３７３が設けられ、前記ヒー
ターバンド３７１の加熱面積を拡大して前記収納袋のプラスチックパッケージの面積を増
大させ、プラスチックパッケージを牢固にするために用いられる。前記ヒーターバンド３
７１は、前記上支持座３２０の長さ方向に沿って延び、前記上支持座３２０の両側におい
て上向きに折り曲げ、前記ヒーターバンド３７１は、前記上支持座３２０の上側における
自在端に延びて、１つの絶縁板３７２によって前記上支持座３２０に固定される。具体的
には、前記絶縁板３７２は、絶縁材料により製造され、折り曲げ板として成形され、前記
ヒーターバンド３７１の外側に覆われ、ヒーターバンド３７１が外側に露出することを回
避する。さらに、前記ヒーターバンド３７１の２つの自在端は、それぞれ、ばね３７５に
よって接線端子３７４から引き出された２つの導線に連結される。ばね３７５が設けられ
ることにより、前記ヒーターバンド３７１が始終に引張状態となり、ヒーターバンド３７
１の平坦度が高くなり、前記ヒーターバンド３７１の下側に位置する熱伝導板３７３が収
納袋に密着する。ヒーターバンド３７１が平坦ではないことに起因して、個別の位置が密
着せずプラスチックパッケージできない問題を回避することができる。
【００２７】
上記ガス抽出プラスチックパッケージ装置では、前記駆動装置３４０は、電動駆動装置で
あってもよいし、気圧駆動装置であってもよい。気圧駆動装置の占有面積が大きいため、
本実施形態において、前記駆動装置３４０は、電動駆動装置を利用する。具体的には、図
７、図１２および図１３に示すように、前記駆動装置３４０は、モータ３４１と、伝動機
構とを含む。前記伝動機構は、前記モータの回転運動を直線運動に変換するために用いら
れ、前記伝動機構の出力端が前記上支持座に連結される。前記伝動機構は、前記モータ出
力軸に固定連結された第１歯車３４２、前記第１歯車３４２と噛合された第２歯車３４３
、前記第２歯車３４３に固定連結された第３歯車３４４、および前記第３歯車３４４と噛
合された出力ピニオン３４５を含む。そのうち、前記出力ピニオン３４５の下側にピンホ
ールが設けられている。前記上支持座３２０と前記出力ピニオン３４５とは、前記ピンホ
ールに挿設されたピン軸３４６によって連結される。上記伝動機構により、前記モータ３
４１の回転運動が、前記上支持座３２０の上下移動に変換される。
【００２８】
具体的には、図７に示すように、前記上支持座３２０と前記駆動装置３４０との間に連結
板３４７が設けられている。前記連結板３４７は、前記上支持座３２０とねじ連結され、
且つ前記連結板３４７において案内溝３４７１が成形されている。前記出力ピニオン３４
５の下端が前記案内溝３４７１内に挿設され、前記案内溝３４７１および前記出力ピニオ
ン３４５の下端にそれぞれ長尺状のピンホールが設けられ、前記ピン軸３４６が前記案内
溝３４７１と前記出力ピニオン３４５の前記ピンホール内に穿設されている。前記出力ピ
ニオン３４５の下端面と前記案内溝３４７１の溝底との間に、前記隙間内にエラストマー
３４８が設けられた隙間がある。
【００２９】
図１２に示すように、初期位置の場合、前記上支持座３２０が最高位置にある。プレス嵌
め段階では、図１３に示すように、駆動装置３４０は、上支持座３２０が下向きに移動す
るように駆動する。下支持座３１０と上支持座３２０との密着を確保するために、一般的
に、前記モータ３４１の所定の回転ストロークを到着判断信号とする。そのため、前記出
力ピニオン３４５と前記案内溝３４７１との間にエラストマー３４８が設けられることで
、上支持座３２０が下支持座３１０に接触したまで移動した後、前記出力ピニオン３４５
が継続して下向きに一定の距離移動し、エラストマー３４８が圧縮され、モータ３４１の
ストールを防止し、モータ３４１を保護し、プレス嵌め力を安定することができる。
【００３０】
ガス抽出段階では、下支持座３１０と上支持座３２０との間に形成された密閉なガス抽出
領域３０１には、気圧が低くなるため、大気圧の作用下で、上支持座３２０が下向きに移
動する。、長尺状のピンホールが存在するので、前記上支持座３２０が下向きに移動する
場合、前記出力ピニオン３４５の位置を維持したまま、駆動装置３４０全体に対して保護
作用を果たす。
【００３１】
前記上支持座３２０の移動変位を精確に制御して前記上支持座３２０が到着したか否かを
判断するために、前記ガス抽出領域３０１において密封空間を形成する。実施形態におい
て、前記モータ３４１は、ステッピングモータ３４１であり、前記ステッピングモータ３
４１の回転ストロークを検知することにより、前記上支持座３２０が到着したか否かを判
断する。他の実施形態において、前記下支持座３１０または前記上支持座３２０にマイク
ロスイッチが設けられている。前記上支持座３２０が到着した後、前記マイクロスイッチ
をトリガーすることにより、前記コントローラは、前記マイクロスイッチのフィードバッ
ク信号に基づいて前記駆動装置３４０を停止させるように制御して現在の位置にロックさ
れる。
【００３２】
前記駆動装置３４０は１つ設けられてもよい。前記出力歯車が前記上支持座３２０の中部
領域に位置する。この場合、上支持座３２０のエッジ領域と下支持座３１０との嵌合が十
分に緊密ではないことに起因してガス抽出領域３０１において空気が漏れやすい。そのた
め、ガス抽出領域３０１の密封性を提供するために、前記駆動装置３４０がそれぞれ前記
上支持座３２０の両側に設けられる。それに従って、前記連結板３４７は、１つ設けられ
、前記連結板３４７に２つの前記案内溝３４７１が設けられている。２つの出力ピニオン
３４５は、それぞれ前記案内溝３４７１内に伸びる。
【００３３】
具体的には、図６、図７に示すように、前記駆動装置３４０および前記ガス抽出コンポー
ネント３３０は、いずれも前記上支持座３２０の上側に位置する取付座３０５に取り付け
られる。前記上支持座３２０において貫通孔３２４が開設され、前記ガス抽出コンポーネ
ント３３０と連通するために用いられる。そのうち、前記取付座３０５の一方側に３つの
チャンバが設けられ、中間位置における真空ポンプ取付チャンバ３０５１、および左右両
側における駆動装置取付チャンバ３０５２を含む。冷蔵庫ドア２００の外表面全体の美観
性、および真空パッケージ装置３００を適用する利便性を保持するために、図３に示すよ
うに、前記ドアハウジング２１０に内へ凹む取付チャンバ２１１が設けられている。前記
駆動装置３４０は、前記上支持座３２０に連結された後にネジで前記取付座３０５に取り
付けられ、前記ガス抽出コンポーネント３３０は、前記上支持座３２０における貫通孔３
２４に連結された後に前記取付座３０５に取り付けられ、１つのコンポーネントを形成し
た後、全体に前記取付座３０５の両側におけるラグに穿設されたネジによって前記取付チ
ャンバ２１１内に取り付けられることで、各々の部品は、モジューラ取付を実現し、外表
面に露出せず、装置の全体性がよい。
【００３４】
ユーザは、該真空パッケージ装置３００を用いて食物用袋に対してプラスチックパッケー
ジを行う、特に、小麦粉などの粉末状の食物または液体などに対してプラスチックパッケ
ージ行う場合、ガス抽出を行う時に、粉末または液体は、ガス抽出領域３０１に進入して
、最終に下支持座３１０の第１開口チャンバ３１１内に残る恐れがある。そのため、ユー
ザが該下支持座３１０内における食物残渣を洗浄しやすいため、該下支持座３１０が前記
ドア２００に対して着脱可能に取り付けられる。
【００３５】
そのうち、前記下支持座３１０が前記ドア２００に取り付ける手段が一義的ではなく、本
実施例において、図１４Ａ〜図１４Ｃに示すように、前記下支持座３１０は、前記ドア２
００の内側（すなわちライナーを有する一方側）から着脱可能に前記ドア２００に取り付
けられてもよい。冷蔵庫のドア２００が必ずしも断熱性を確保しなければならないため、
前記下支持座３１０の前記貯蔵室１００の内側に向ける部分に保温小ドア２５０が設けら
れている。そのうち、図１４Ｃに示すように、前記ドア２００において内外に連通された
取付孔２０１が開設されている。前記下支持座３１０と保温小ドア２５０とが前記ドア２
００の内側から前記取付孔２０１に挿設されることで、下支持座３１０の取り外し・洗浄
およびドア２００の保温性能を同時に実現することができる。
【００３６】
一実施形態において、図１５に示すように、前記下支持座３１０および保温小ドア２５０
が一体的に成形される。図１５、図１６に示すように、前記下支持座３１０および保温小
ドア２５０は、開口チャンバ構造を有する第１筐体２５１および第２筐体２５２、ならび
に第１筐体２５１と第２筐体２５２との間に断熱材により形成される。そのうち、第１筐
体２５１と第２筐体２５２とが係合連結され、前記第１筐体２５１が前記第２筐体２５２
から離れる方向において延伸アーム２５１１が設けられ、前記下支持座３１０が前記延伸
アーム２５１１に形成される。前記第１開口チャンバ３１１は、前記延伸アーム２５１１
の上側に形成された開口溝であり、前記開口溝の外周に第１密封溝３１３が設けられてい
る。
【００３７】
該ドア２００の断熱性をさらに確保し、該取付孔２０１と前記保温小ドア２５０との間の
隙間によって冷気が漏れることを回避するために、図１５、図１６に示すように、該保温
小ドア２５０と前記ドアライナー２２０との間に小ドアシール２５３が設けられている。
具体的には、前記第１筐体２５１は、前記ドアライナー２２０と嵌合される箇所に支持ア
ーム２５１２が設けられている。前記支持アーム２５１２のサイズが前記取付孔２０１の
サイズよりも大きい。前記支持アーム２５１２において前記取付孔２０１を取り囲む取付
溝が設けられ、前記小ドアシール２５３が前記取付溝内に取り付けられる。
【００３８】
具体的には、該保温小ドア２５０が信頼的に前記ドア２００に固定されることを確保する
ために、前記保温小ドア２５０と前記ドアライナー２２０との間に、前記保温小ドア２５
０を前記ドア２００にロックまたはアンロックするためのロック装置４００が設けられて
いる。
【００３９】
図１４Ａ〜図１４Ｃ、図１６、および図１７に示すように、前記ロック装置４００は、前
記保温小ドア２５０に設けられたラッチフックコンポーネント、および前記ドアライナー
２２０に設けられたロック溝２２１を含む。前記ラッチフックコンポーネントは、前記保
温小ドア２５０に穿設されたラッチフックを含む。前記ラッチフックは、第１位置および
第２位置で変換可能となる。前記ラッチフックは、第１位置にある場合、前記ロック溝２
２１と嵌合されて前記保温小ドア２５０のロックを実現し、第２位置にある場合、前記ロ
ック溝２２１から離脱して前記保温小ドア２５０のアンロックを実現することができる。
【００４０】
具体的には、前記ロック装置４００の信頼性を向上させるために、前記ロック溝２２１お
よび前記ラッチフックがそれぞれ２つ設けられている。そのうち、前記ロック溝２２１が
前記取付孔２０１の上下両側に位置する。図１７〜図２０に示すように、前記ラッチフッ
クコンポーネントは、上ラッチフック４２０、下ラッチフック４１０およびリセットばね
４３０を含む。図１９に示すように、前記下ラッチフック４１０は、下側における前記ロ
ック溝２２１と嵌合された引っ掛け部４１４、前記保温小ドア２５０に回転可能に連結さ
れたヒンジ部４１２、および前記保温小ドア２５０の下側に位置するハンドル部４１１を
含む。そのうち、前記ハンドル部４１１および前記引っ掛け部４１４は、それぞれ前記ヒ
ンジ部４１２の両側に位置する。前記下ラッチフック４１０は、前記上ラッチフック４２
０に連結された下連結部４１３をさらに含む。そのうち、前記下連結部４１３は、前記ハ
ンドル部４１１の上方に沿って延びる。具体的には、前記下連結部４１３の端部がＴ字形
の突起４１３１として成形される。図２０に示すように、前記上ラッチフック４２０は、
上側における前記ロック溝２２１と嵌合された引っ掛け部４２１、および前記下ラッチフ
ック４１０に連結された上連結部４２３を含む。具体的には、前記上連結部４２３の下端
部が開口溝構造４２３１として成形され、前記Ｔ字形の突起４１３１が前記開口溝４２３
１に挿入されて前記上ラッチフック４２０と前記下ラッチフック４１０との連結を実現す
る。前記上ラッチフック４２０と前記保温小ドア２５０の上端面との間に前記リセットば
ね４３０が設けられている。より具体的には、前記上ラッチフック４２０において連結軸
４２２が成形され、前記リセットばね４３０が前記連結軸４２２に嵌着される。
【００４１】
図１７に示すように、前記第２筐体２５２の内表面に案内位置決め部が成形され、前記上
連結部４２３が前記案内位置決め部に係着され、前記上ラッチフック４２０が前記案内位
置決め部に沿って摺動可能である。具体的には、前記案内位置決め部は、前記第２筐体２
５２の内表面に形成されたフック２５２１であり、前記フック２５２１が前記上連結部４
２３の左右両側に位置し、上下方向に沿って一定の距離延びる。前記上連結部４２３は、
２つのフック２５２１同士に係着される。
【００４２】
初期状態では、前記リセットばね４３０の弾力作用下で、前記上ラッチフック４２０と下
ラッチフック４１０とが前記第１位置に位置して前記保温小ドア２５０と前記ドアライナ
ー２２０とのロックを実現する。ユーザが手で前記下ラッチフック４１０を動かした際に
、前記下ラッチフック４１０は、前記ヒンジ部４１２を回って回転し、前記引っ掛け部４
１４は、下向きに移動して下側における前記ロック溝２２１から離脱するとともに、前記
連結部は、前記上ラッチフック４２０を上向きに移動させるように押し動かし、前記上ラ
ッチフック４２０は、上側における前記ロック溝２２１から離脱し、前記上ラッチフック
４２０および下ラッチフック４１０が前記第２位置に位置して前記保温小ドア２５０と前
記ドアライナー２２０とのアンロックを実現する。
【００４３】
冷蔵庫ドア２００の外観の美観性を確保するために、図１、図２に示すように、前記冷蔵
庫ドア２００において、前記真空パッケージ装置３００の所在する領域にカウンタードア
２６０が設けられている。前記カウンタードア２６０の下端が前記ドア２００にヒンジ連
結され、前記ドアハウジング２１０の表面に垂直な位置までに転回可能となる。前記カウ
ンタードア２６０の上端が第１プッシュスイッチ２１２によって前記ドアハウジング２１
０に連結される。カウンタードア２６０構造を利用することにより、カウンタードア２６
０を開けた状態で、食物を盛った収納袋をカウンタードア２６０に置いた後、真空パッケ
ージ処理を行うことができ、ユーザが操作しやすい。カウンタードア２６０を閉じた場合
、ドア２００の外観の美観性を確保することができる。
【００４４】
前記カウンタードア２６０の内側には、前記取付チャンバの外側に被覆された操作パネル
２７０がさらに含まれる。前記操作パネル２７０において挿入口２７１が成形され、前記
挿入口２７１の下面が前記第１開口チャンバ３１１の上面と位置合せる。このように、真
空パッケージ装置３００は、全体的に前記操作パネル２７０の後側に隠すことができる。
ユーザが真空プラスチックパッケージを行うと、直接的に操作パネル２７０の挿入口２７
１から収納袋の開口を挿入するとともに、直接的に前記第１開口チャンバ３１１の上面に
延びることができる。上支持座３２０が下向きに移動すると、収納袋の開口を前記ガス抽
出領域３０１内に置くことができる。具体的には、前記操作パネル２７０は、前記ドアハ
ウジング２１０に着脱可能に連結される。前記操作パネル２７０において、表示制御装置
２７２がさらに設けられている。前記表示制御装置２７２は、前記真空パッケージ装置３
００の作動状態を表示するための指示装置、および前記真空パッケージ装置３００の起動
または停止を制御するための制御ボタンを含む。ユーザは、表示制御装置２７２に表示さ
れている真空パッケージ装置３００の作動状態に基づいて収納袋を引き出すことを許容す
るか否かを確定することができる。
【００４５】
ユーザは、該真空パッケージ装置３００を用いる場合、操作パネル２７０に設けられた
挿入口２７１によってパッケージ待ち収納袋を挿入する。所定の位置までに挿入した（収
納袋が前記位置規制リブ３２２に接触した）後、ユーザは、操作パネル２７０における起
動ボタンをトリガーすることにより、モータ３４１を起動させ、上支持座３２０を降下さ
せ、前記支持座３２０が所定位置までに移動した（前記ガス抽出領域３０１が密封された
）まで、前記真空ポンプ３３１を起動させ、前記ガス抽出領域３０１に対してガス抽出処
理を行う。前記収納袋は、前記ガス抽出領域３０１内の収納袋開口に位置してガス抽出を
実現することができる。圧力センサにより、圧力値が所定の負圧値に達したと検知される
場合、前記真空ポンプ３３１を停止させながら、加熱装置３７０を作動させる。加熱装置
３７０が所定時間作動した後、電動リリーフ弁を起動させる。そして、前記直線モータ３
４１を起動させて、前記第１開口チャンバと第２開口チャンバとが離脱したまで、上支持
座３２０を上昇させる。前記操作パネル２７０における表示制御装置２７２により、ユー
ザに対して前記収納袋を引出するように指示されることで、収納袋の真空パッケージが完
了する。
【００４６】
実施例２
【００４７】
本実施例２は、前記支持座３１０と前記保温小ドア２５０との連結形態以外、実施例１の
構造と大体に同様である。具体的には、本実施形態において、図２１Ａ、図２１Ｂに示す
ように、前記下支持座３１０は、前記保温小ドア２５０に着脱可能に連結される。図２２
に示す前記保温小ドア２５０は、開口チャンバ構造を有する第１筐体２５１および第２筐
体２５２、ならびに第１筐体２５１と第２筐体２５２との間に設けられた断熱材により形
成される。そのうち、第１筐体２５１と第２筐体２５２とは係着され、前記第１筐体２５
１は、前記第２筐体２５２から離れる方向において延伸アーム２５１１が設けられ、前記
下支持座３１０は、前記延伸アーム２５１１に着脱可能に連結される。
【００４８】
具体的には、前記延伸アーム２５１１の端部に上向きに延びる第１位置規制部が成形され
、前記下支持座３１０の下側に前記第１位置規制部と嵌合された第２位置規制部が成形さ
れている。前記第１位置規制部が前記第２位置規制部と嵌合されて前記下支持座３１０を
前記延伸アーム２５１１に位置決めする。より具体的には、前記第１位置規制部は、位置
規制板であり、前記位置規制部は、前記下支持座３１０の底部に成形されて下向きに延び
るバッフルである。前記バッフルは、前記位置規制板の内側に挿設されて下支持座３１０
を前記延伸アーム２５１１に取り付けることを実現し、下支持座３１０が水平方向におい
て移動することに起因してガス抽出領域の密封がよくないという問題を回避することがで
きる。
【００４９】
該ドア２００の断熱性をさらに確保し、該取付孔２０１と前記保温小ドア２５０との間の
隙間によって冷気が漏れることを回避するために、該保温小ドア２５０と前記ドアライナ
ー２２０との間に小ドアシール２５３が設けられている。具体的には、前記第１筐体２５
１は、前記ドアライナー２２０と嵌合された箇所に支持アーム２５１２が設けられている
。前記支持アーム２５１２のサイズが前記取付孔２０１のサイズよりも大きい。前記支持
アーム２５１２において前記取付孔２０１を取り囲む取付溝が設けられ、前記小ドアシー
ル２５３が前記取付溝内に取り付けられる。
【００５０】
具体的には、該保温小ドア２５０が信頼的に前記ドア２００に固定されることを確保する
ために、前記保温小ドア２５０と前記ドアライナー２２０との間にロック装置４００が設
けられている。
【００５１】
図２２に示すように、前記ロック装置４００は、前記保温小ドア２５０の底部にヒンジ連
結されたラッチフック４４０を含む。前記ラッチフック４４０の中部に前記保温小ドア２
５０と連結するためのヒンジ軸が設けられ、前記保温小ドア２５０に連結される。更に、
前記ドアライナー２２０に成形されて前記ラッチフックと嵌合されたロック溝、および前
記ヒンジ軸に嵌着されたリセットねじりばね４５０をさらに含む。前記リセットねじりば
ねの１つの支持脚が前記保温小ドア２５０に突き当てられ、他の１つの支持脚が前記ラッ
チフック４４０に突き当てられる。初期状態では、前記リセットねじりばね４５０のトル
クにより、前記ラッチフック４４０が第１位置に位置することで、前記保温小ドア２５０
が前記ドアに取り付けられる。
【００５２】
具体的には、小ドアの美観性を向上させるために、前記小ドアの底部に取付凹溝が成形さ
れ、前記ラッチフックが前記取付凹溝の内部に取り付けられる。図２１Ａ、図２１Ｂは、
前記保温小ドア２５０および下支持座３１０を取り外す手順を示す。そのうち、前記保温
小ドア２５０および下支持座３１０が前記ドア２００に取り付けられた場合、前記ラッチ
フックが前記ロック溝と嵌合されることで、前記保温小ドア２５０のロック状態を実現す
ることができる。前記保温小ドア２５０および下支持座３１０を取り外す必要がある場合
、前記ラッチフックを動かして前記ロック溝から離れる。前記ロック装置４００がアンロ
ック状態となる場合、外へ前記保温小ドア２５０および下支持座３１０を引出し、下支持
座３１０を前記保温小ドア２５０から取り出して、下支持座３１０を洗浄することができ
る。本実施形態において、前記下支持座３１０が保温小ドア２５０に着脱可能に連結され
ることで、下支持座３１０の洗浄をより簡単、容易にする。
【００５３】
実施例３
【００５４】
本実施例３は、前記下支持座３１０および前記保温小ドア２５０と前記ドア２００との
連結形態以外、実施例１の構造と大体に同様である。
【００５５】
図２３Ａ〜図２３Ｃに示すように、前記下支持座３１０と前記保温小ドア２５０とが、互
いに独立して設けられている。前記取付孔２０１の下側に、前記下支持座３１０の到着位
置を制限するための位置規制部が設けられている。前記下支持座３１０の一端が位置規制
部に突き当てられ、他の一端が前記保温小ドア２５０に突き当てられる。前記保温小ドア
２５０は、実施例１または実施例２における前記ロック装置４００によって前記ドア２０
０に取り付けられてもよい。
【００５６】
実施例４
【００５７】
本実施例４は、前記真空パッケージ装置３００の所在する領域におけるドア２００の構造
以外、実施例１の構造と大体に同様である。
【００５８】
具体的には、本実施形態において、図２４、図２５に示すように、冷蔵庫ドア２００の外
観の美観性を確保し、前記真空パッケージ装置３００が前記ドア２００の外側に露出する
ことを回避するために、前記ドア２００は、前記真空パッケージ装置３００の所在する領
域にサブドアプレート２８０が設けられている。前記サブドアプレート２８０は、前記ド
ア２００の他の領域の幅と同様である。前記サブドアプレート２８０は、係着または粘着
の形態で、この領域に連結される。前記サブドアプレート２８０の表面は、前記ドア２０
０の他の領域の表面と位置合せる。前記サブドアプレート２８０において挿入口２８１が
成形され、前記挿入口２８１の下面が前記第１開口チャンバ３１１の上面と位置合せる。
ユーザが真空プラスチックパッケージを行う場合、直接的にサブドアプレート２８０の挿
入口２８１内から収納袋の開口を挿入するとともに、直接的に前記第１開口チャンバ３１
１の上面に延びる。上支持座３２０が下向きに移動する場合、収納袋の開口を前記ガス抽
出領域３０１内に置くことができる。前記サブドアプレート２８０において表示制御装置
２８２が設けられている。前記表示制御装置２８２は、前記真空パッケージ装置３００の
作動状態を指示するための指示装置、および前記真空パッケージ装置３００の起動または
停止を制御するための制御ボタンを含む。ユーザは、指示装置に表示される真空パッケー
ジ装置３００の作動状態に基づいて収納袋を引出すことを許容するか否かを確定すること
ができる。
【００５９】
実施例５
【００６０】
本実施例５は、前記下支持座３１０が前記ドア２００に取り付けられる形態以外、実施例
１の構造と大体に同様である。
【００６１】
具体的に、本実施形態において、図２６〜図２９に示すように、前記下支持座３１０は、
前記ドア２００の外側から着脱可能に前記ドア２００に取り付けられる。
【００６２】
より具体的には、前記下支持座３１０は、プッシュ・ポンプアップの形態で着脱可能に前
記ドア２００に連結される。そのうち、図２７、図２８に示すように、前記下支持座３１
０と前記ドア２００の連結面に第２プッシュスイッチ３８０が設けられている。前記第２
プッシュスイッチ３８０は、プッシュロック３８１およびラッチ３８２を含む。前記下支
持座３１０の内側面において前記ラッチ３８２が設けられた凹溝が成形され、前記ドア２
００の外表面に前記プッシュロック３８１が固定されている。
【００６３】
図２９Ａに示すように、ドア２００に垂直な方向に沿って下支持座３１０を押圧した場合
、プッシュロック３８１がラッチ３８２と係合され、下支持座３１０がドア２００に取り
付けられる。図２９Ｂに示すように、再度と下支持座３１０を押圧した場合、プッシュロ
ック３８１がラッチ３８２を解放して、下支持座３１０をドア２００から取り外すことが
できる。ユーザは、独立して下支持座３１０を洗浄することができ、操作しやすい。
【００６４】
実施例６
【００６５】
本実施例６は、前記下支持座３１０が前記ドア２００に取り付けられる形態以外、実施
例５の構造と大体に同様である。
【００６６】
具体的には、本実施形態において、図３０Ａ、図３０Ｂに示すように、前記下支持座３１
０は、前記ドア２００の外側から着脱可能に前記ドア２００に取り付けられる。
【００６７】
より具体的には、前記下支持座３１０は、係着の形態で着脱可能に前記ドア２００に連結
される。前記下支持座３１０および前記ドア２００において、それぞれ互いに嵌合された
第１係合部３９１および第２係合部３９２が成形されている。そのうち、前記第１係合部
３９１は、前記下支持座３１０の下面に成形され、具体的に折り曲げフックである。前記
第２係合部３９２は、前記ドア２００の前側表面に固定連結される。前記下支持座３１０
は、前記ドア２００に近寄る方向へ、第１係合部３９１と第２係合部３９２とが嵌合され
たまでに移動して、下支持座３１０の取付を実現する。取り外し時に、外側へ前記下支持
座３１０を引くことで、第１係合部３９１と第２係合部３９２とが弾性変形して離脱する
。ユーザは、独立して下支持座３１０を洗浄することができ、操作しやすい。
【００６８】
明らかには、上記実施例は、挙げられたことをはっきりと説明するためのものに過ぎず、
実施形態を限定するためのものではない。当業者にとっては、上記説明を基に、他の異な
る形態の変化または変更を行うこともできる。ここでは、すべての実施形態を網羅する必
要がない。それによる明らかな変化または変更は、本願の保護範囲に属すべきである。
【図１】
2021533330.tif 000003
【図２】
2021533330.tif 000004
【図３】
2021533330.tif 000005
【図４】
2021533330.tif 000006
【図５】
2021533330.tif 000007
【図６】
2021533330.tif 000008
【図７】
2021533330.tif 000009
【図８】
2021533330.tif 000010
【図９】
2021533330.tif 000011
【図１０】
2021533330.tif 000012
【図１１】
2021533330.tif 000013
【図１２】
2021533330.tif 000014
【図１３】
2021533330.tif 000015
【図１４Ａ】
2021533330.tif 000016
【図１４Ｂ】
2021533330.tif 000017
【図１４Ｃ】
2021533330.tif 000018
【図１５】
2021533330.tif 000019
【図１６】
2021533330.tif 000020
【図１７】
2021533330.tif 000021
【図１８】
2021533330.tif 000022
【図１９】
2021533330.tif 000023
【図２０】
2021533330.tif 000024
【図２１Ａ】
2021533330.tif 000025
【図２１Ｂ】
2021533330.tif 000026
【図２２】
2021533330.tif 000027
【図２３Ａ】
2021533330.tif 000028
【図２３Ｂ】
2021533330.tif 000029
【図２３Ｃ】
2021533330.tif 000030
【図２４】
2021533330.tif 000031
【図２５】
2021533330.tif 000032
【図２６】
2021533330.tif 000033
【図２７】
2021533330.tif 000034
【図２８】
2021533330.tif 000035
【図２９Ａ】
2021533330.tif 000036
【図２９Ｂ】
2021533330.tif 000037
【図３０Ａ】
2021533330.tif 000038
【図３０Ｂ】
2021533330.tif 000039
【国際調査報告】
2021533330.tif 000040
2021533330.tif 000041
2021533330.tif 000042
2021533330.tif 000043
2021533330.tif 000044